(57)【要約】【課題】内容器および外容器の周方向の相対位置を１つに特定することができる二重容器を提供する。【解決手段】内容器１０Ａの外周面には、径方向の外側に向けて突出する長係合突部２０Ａおよび短係合突部２０Ｂが、周方向に間隔をあけて複数形成され、外容器１０Ｂの内周面には、長係合突部２０Ａが係合する長係合溝部３０Ａと、短係合突部２０Ｂが係合し、かつ長係合溝部３０Ａの導入溝よりも周方向に短い導入溝を有する短係合溝部３０Ｂと、が、周方向に間隔をあけて複数形成され、短係合溝部３０Ｂの導入溝における周方向の長さは、長係合突部２０Ａにおける周方向の長さよりも短く、長係合溝部３０Ａに形成された乗越え突起の周方向の長さは、短係合溝部３０Ｂに形成された乗越え突起の周方向の長さよりも短い。【選択図】図１
2018203313.tif 000002
【特許請求の範囲】
【請求項１】
内容器と、
内側に前記内容器が配設された外容器と、を備えた二重容器であって、
前記内容器の外周面には、径方向の外側に向けて突出する係合突部が、周方向に間隔をあけて複数形成され、
前記外容器の内周面には、径方向の外側に向けて窪み、かつ前記係合突部が各別に係合する係合溝部が、周方向に間隔をあけて複数形成され、
前記係合溝部は、上方に向けて開口し、かつ前記外容器の中心軸線Ｏに沿う軸方向に延びるとともに、前記内容器および前記外容器の、前記軸方向に互いに接近する相対移動に伴って、前記係合突部が前記軸方向に進入可能とされた導入溝と、
前記導入溝から周方向の一方側に向けて延び、かつ前記内容器の前記外容器に対する周方向の一方側への相対移動に伴って、前記係合突部が係合可能とされた装着溝と、を有し、
前記係合溝部の内面のうち、上方を向く下面には、上方に向けて突出し、かつ前記内容器の前記外容器に対する周方向の一方側への相対移動に伴って、前記係合突部が周方向に乗越える乗越え突起が形成され、
複数の前記係合突部は、周方向の長さが互いに異なる長係合突部および短係合突部を有し、
複数の前記係合溝部は、前記長係合突部が係合する長係合溝部と、前記短係合突部が係合し、かつ前記長係合溝部の導入溝よりも周方向に短い導入溝を有する短係合溝部と、を有し、
前記短係合溝部の導入溝における周方向の長さは、前記長係合突部における周方向の長さよりも短く、
前記長係合溝部に形成された乗越え突起の周方向の長さは、前記短係合溝部に形成された乗越え突起の周方向の長さよりも短いことを特徴とする二重容器。
【請求項２】
前記長係合突部および前記短係合突部それぞれにおける周方向の一方側の端部は、前記導入溝に進入した前記係合突部が前記装着溝に係合する過程において、前記長係合溝部および前記短係合溝部に各別に形成された前記乗越え突起に同時に当接することを特徴とする請求項１に記載の二重容器。
【請求項３】
前記導入溝は、前記外容器の上端開口縁に開口し、
前記外容器の上端開口縁における前記短係合溝部の導入溝の開口周縁部において、周方向の一方側の端部に位置する部分には、前記短係合溝部の導入溝から周方向の一方側に離れるに従って、上方に向けて延びる傾斜部が形成されていることを特徴とする請求項１又は２に記載の二重容器。
【発明の詳細な説明】
【技術分野】
【０００１】
本発明は、二重容器に関する。
【背景技術】
【０００２】
従来、例えば下記特許文献１に示されるように、内容器と、内側に内容器が配設された外容器と、を備えた二重容器として、内容器の外周面に、径方向の外側に向けて突出する係合突部が周方向に間隔をあけて複数形成され、外容器に、係合突部が各別に係合する係合溝部が周方向に間隔をあけて複数形成された構成が知られている。
そしてこの二重容器では、内容器の複数の係合突部が、外容器の複数の係合溝部に各別に係合することで、内容器および外容器の周方向の相対移動が規制されている。
【先行技術文献】
【特許文献】
【０００３】
【特許文献１】特開２００４−１０６９３９号公報
【発明の概要】
【発明が解決しようとする課題】
【０００４】
しかしながら、上記従来の二重容器では、外容器に周方向に間隔をあけて配置された複数の係合溝部それぞれの周方向の長さが互いに同等となっているので、係合突部を、複数の係合溝部のうちのいずれにも係合させることができ、内容器および外容器の周方向の相対位置を１つに特定することが困難であった。
【０００５】
本発明は、このような事情に鑑みてなされたもので、内容器および外容器の周方向の相対位置を１つに特定することができる二重容器を提供することを目的とする。
【課題を解決するための手段】
【０００６】
前記課題を解決するために、本発明に係る二重容器は、内容器と、内側に前記内容器が配設された外容器と、を備えた二重容器であって、前記内容器の外周面には、径方向の外側に向けて突出する係合突部が、周方向に間隔をあけて複数形成され、前記外容器の内周面には、径方向の外側に向けて窪み、かつ前記係合突部が各別に係合する係合溝部が、周方向に間隔をあけて複数形成され、前記係合溝部は、上方に向けて開口し、かつ前記外容器の中心軸線Ｏに沿う軸方向に延びるとともに、前記内容器および前記外容器の、前記軸方向に互いに接近する相対移動に伴って、前記係合突部が前記軸方向に進入可能とされた導入溝と、前記導入溝から周方向の一方側に向けて延び、かつ前記内容器の前記外容器に対する周方向の一方側への相対移動に伴って、前記係合突部が係合可能とされた装着溝と、を有し、前記係合溝部の内面のうち、上方を向く下面には、上方に向けて突出し、かつ前記内容器の前記外容器に対する周方向の一方側への相対移動に伴って、前記係合突部が周方向に乗越える乗越え突起が形成され、複数の前記係合突部は、周方向の長さが互いに異なる長係合突部および短係合突部を有し、複数の前記係合溝部は、前記長係合突部が係合する長係合溝部と、前記短係合突部が係合し、かつ前記長係合溝部の導入溝よりも周方向に短い導入溝を有する短係合溝部と、を有し、前記短係合溝部の導入溝における周方向の長さは、前記長係合突部における周方向の長さよりも短く、前記長係合溝部に形成された乗越え突起の周方向の長さは、前記短係合溝部に形成された乗越え突起の周方向の長さよりも短いことを特徴とする。
【０００７】
この発明によれば、内容器に、周方向の長さが互いに異なる長係合突部および短係合突部がそれぞれ形成され、外容器に、導入溝の周方向の長さが互いに異なる長係合溝部および短係合溝部がそれぞれ形成されている。そして、短係合突部が係合する短係合溝部における導入溝の周方向の長さが、長係合突部の周方向の長さよりも短いので、長係合突部が短係合溝部内に進入するのを防ぐことができる。このため、長係合突部および長係合溝部それぞれの周方向の位置を互いに一致させ、かつ短係合突部および短係合溝部それぞれの周方向の位置を互いに一致させなければ、内容器を外容器に装着することができないので、内容器および外容器の周方向の相対位置を１つに特定することができる。
【０００８】
また、長係合溝部に形成された乗越え突起の周方向の長さが、短係合溝部に形成された乗越え突起の周方向の長さよりも短いので、長係合突部が乗越え突起を摺動する距離を抑えつつ、短係合突部が乗越え突起を摺動する距離を確保することが可能になり、長係合突部および短係合突部が、乗越え突起上を摺動する距離を同等にすることができる。このため、内容器の外容器に対する周方向の一方側への相対移動に伴って、長係合突部および短係合突部をそれぞれ、長係合溝部内および短係合溝部内の各乗越え突起を同時に乗越えさせることができる。これにより、長係合突部および短係合突部が双方共に、乗越え突起を乗越えたことを、例えば、音や触感等により使用者に感じさせることが可能になり、短係合突部のみが乗越え突起を乗越え、長係合突部が乗越え突起を完全に乗越えていない状態で、使用者が内容器および外容器を周方向に相対移動させる操作を終了することがなく、係合突部と係合溝部との係合が不十分となるのを防ぐことができる。このようにして、二重容器の取扱性を向上することができる。
【０００９】
また、外容器の係合溝部が、導入溝から周方向の一方側に向けて延びる装着溝を有しているので、内容器の外容器に対する周方向の一方側への相対移動に伴って、内容器の係合突部を、外容器の装着溝に係合させることにより、内容器および外容器の、軸方向に互いに離反する相対移動を規制することができる。このため、係合突部および係合溝部により、内容器および外容器の、周方向の相対変位のみならず、軸方向に互いに離反する相対移動も規制することが可能になる。これにより、例えば内容器および外容器に、外容器の口部に螺合される固定部材を一体に装着すること等により、内容器および外容器の、軸方向に互いに離反する相対移動を規制するような構成と比較して、部品点数の削減を図ることができる。
【００１０】
また、前記長係合突部および前記短係合突部それぞれにおける周方向の一方側の端部は、前記導入溝に進入した前記係合突部が前記装着溝に係合する過程において、前記長係合溝部および前記短係合溝部に各別に形成された前記乗越え突起に同時に当接してもよい。
この場合には、導入溝に進入した係合突部が装着溝に係合する過程において、長係合突部および短係合突部が、長係合溝部内および短係合溝部内の各乗越え突起に、それぞれ同時に当接するので、その後の内容器の外容器に対する周方向の一方側への相対移動に伴って、確実に長係合突部および短係合突部をそれぞれ、各乗越え突起を同時に乗越えさせることができる。
【００１１】
また、前記導入溝は、前記外容器の上端開口縁に開口し、前記外容器の上端開口縁における前記短係合溝部の導入溝の開口周縁部において、周方向の一方側の端部に位置する部分には、前記短係合溝部の導入溝から周方向の一方側に離れるに従って、上方に向けて延びる傾斜部が形成されてもよい。
この場合には、外容器の上端開口縁に前記傾斜部が形成されているので、係合突部と係合溝部とを係合させる際に、仮に長係合突部および短係合溝部の導入溝それぞれにおける周方向の位置が互いに一致したとしても、内容器を外容器に対して周方向の一方側へ向けて相対回転させたときに、長係合突部における周方向の一方側の端部が、前記傾斜部上を摺動することにより、前記傾斜部に沿って長係合突部を上方に向けて案内することができる。これにより、長係合突部が短係合溝部の導入溝内に進入するのを効果的に抑制することができる。
【発明の効果】
【００１２】
本発明によれば、内容器および外容器の周方向の相対位置を１つに特定することができる。
【図面の簡単な説明】
【００１３】
【図１】本発明の一実施形態に係る二重容器の縦断面図である。
【図２】図１に示す各係合溝部内に各係合突部が進入した状態の上面模式図である。
【図３】図２に示す内容器および外容器の係合状態を、径方向の内側から見た展開図における、（ａ）短係合突部が短係合溝部の導入溝内に進入した状態を示す図、（ｂ）長係合突部が長係合溝部の導入溝内に進入した状態を示す図である。
【図４】図２に示す内容器および外容器の係合状態を、径方向の内側から見た展開図における、（ａ）短係合突部が乗越え突起を乗越えた状態を示す図、（ｂ）長係合突部が乗越え突起を乗越えた状態を示す図である。
【図５】図２に示す内容器および外容器の係合状態を、径方向の内側から見た展開図における、（ａ）短係合突部が短係合溝部の装着溝に係合した状態を示す図、（ｂ）長係合突部が長係合溝部の装着溝に係合した状態を示す図である。
【発明を実施するための形態】
【００１４】
以下、本発明に係る二重容器１の一実施形態について、図面を参照して説明する。本実施形態では、本発明の二重容器１に、吐出器２が取付けられて構成された吐出容器３を例にして説明する。なお、以下の説明に用いる各図面では、各部材を認識可能な大きさとするために縮尺を適宜変更している場合がある。
【００１５】
図１に示すように、本実施形態に係る吐出容器３は、二重容器１と、二重容器１に配設された吐出器２と、二重容器１に装着され、二重容器１および吐出器２を一体に覆うオーバーキャップ４と、を備えている。
二重容器１は、内容器１０Ａと、内側に内容器１０Ａが配設された外容器１０Ｂと、を備えている。図示の例では、外容器１０Ｂは有底筒状をなしている。
【００１６】
以下の説明において、外容器１０Ｂの中心軸線Ｏに沿う方向を軸方向といい、軸方向に沿うオーバーキャップ４側を上側といい、その反対側を下側という。また、軸方向から見た上面視において、中心軸線Ｏと直交する方向を径方向といい、中心軸線Ｏ周りに周回する方向を周方向という。
【００１７】
内容器１０Ａは、内側に内容物が充填される有底筒状の内筒部材１１と、内筒部材１１に装着される筒状の装着キャップ１２と、を備えている。内筒部材１１および装着キャップ１２はそれぞれ、中心軸線Ｏと同軸に配置されている。
内筒部材１１の上端部には、胴部１１Ｂよりも縮径された口部１１Ａが形成されている。口部１１Ａは中心軸線Ｏと同軸に配置されている。口部１１Ａの外周面には雄ねじ部４Ａが形成されている。
【００１８】
装着キャップ１２は、内筒部材１１の口部１１Ａに装着された装着筒部１２Ａと、装着筒部１２Ａの上端部から径方向の内側に向けて突出し、かつ全周にわたって延びる環板部１２Ｂと、環板部１２Ｂの外周縁部から上方に向けて延びる上筒部１２Ｃと、装着筒部１２Ａと環板部１２Ｂとの接続部分から径方向の外側に向けて突出し、かつ下方に向けて延びる下筒部１２Ｄと、を備えている。装着筒部１２Ａ、環板部１２Ｂ、上筒部１２Ｃ、および下筒部１２Ｄはそれぞれ、中心軸線Ｏと同軸に配置されている。
【００１９】
装着筒部１２Ａの内周面には雌ねじ部４Ｂが形成されている。雌ねじ部４Ｂが内筒部材１１の口部１１Ａにおける雄ねじ部４Ａに螺合することにより、装着キャップ１２が内筒部材１１の口部１１Ａに装着されている。
環板部１２Ｂの下面における内周縁部には、上方に向けて窪むとともに、径方向の内側に向けて開口する係止凹部１２Ｅが全周にわたって形成されている。環板部１２Ｂの内側に、吐出器２が挿入されている。
上筒部１２Ｃは装着筒部１２Ａよりも小径に形成されている。
【００２０】
下筒部１２Ｄは、装着筒部１２Ａを径方向の外側から囲繞している。下筒部１２Ｄの外周面には、径方向の外側に向けて突出する係止突部１２Ｆが形成されている。係止突部１２Ｆは、下筒部１２Ｄの下部の外周面に配置され、全周にわたって延びている。
【００２１】
下筒部１２Ｄの下端部には、径方向の外側に向けて突出し、かつ全周にわたって延びる係合フランジ部１２Ｇが形成されている。係合フランジ部１２Ｇは外容器１０Ｂの上端開口縁上に配置されている。係合フランジ部１２Ｇの下面には、下方に向けて延びる係合筒部１２Ｈが形成されている。係合筒部１２Ｈは中心軸線Ｏと同軸に配置されている。係合筒部１２Ｈは内筒部材１１の胴部１１Ｂよりも大径に形成されている。
【００２２】
吐出器２は、例えば内容物を吐出させるポンプ機構であって、内筒部材１１の内側に配設されたシリンダ４１と、シリンダ４１に上方付勢状態で下方移動可能に配設されたステム４２と、シリンダ４１内に配設された筒状のピストン４３と、ピストン４３およびステム４２の内側に嵌合され、ピストン４３の軸方向に沿う移動を案内するピストンガイド４４と、ピストン４３およびステム４２を上方に向けて付勢する第１付勢部材４５と、を備えている。
【００２３】
シリンダ４１は中心軸線Ｏと同軸に配置されている。シリンダ４１の下部には、内筒部材１１の内側と連通されたパイプ４６が接続されている。シリンダ４１の下部のうち、パイプ４６との接続部分の上方に位置する部分には、弁座部４１Ｂが形成されている。
シリンダ４１の上端部は、径方向の外側に向けて突出し、かつ全周にわたって延びる外フランジ部４１Ａが形成されている。
【００２４】
外フランジ部４１Ａは、パッキン４８を介して、内筒部材１１の口部１１Ａにおける上端開口縁上に配置されている。外フランジ部４１Ａが内筒部材１１の口部１１Ａと、前述した装着キャップ１２の環板部１２Ｂと、により軸方向に挟まれることで、シリンダ４１が内筒部材１１の内側に固定されている。
シリンダ４１の上端部における内側には、筒状の規制部材４９が嵌合されている。
【００２５】
ステム４２は規制部材４９の内側に、軸方向に移動可能に挿入されている。ステム４２の軸方向の移動に伴って、ステム４２の外周面が規制部材４９の内周面上を摺動する。
ピストン４３は、シリンダ４１内において、ステム４２よりも下方に位置する部分に配設されている。ピストン４３は、ステム４２の軸方向の移動に連係して、シリンダ４１の内周面に密に接した状態で軸方向に摺動可能とされている。
【００２６】
ピストンガイド４４のうち、上部がステム４２およびピストン４３の内側に配置され、下部が、シリンダ４１の内周面に密に嵌合されている。ピストンガイド４４は、ステム４２の軸方向の移動に連係して、軸方向に移動する。
第１付勢部材４５は、ピストンガイド４４と後述する弁体４７との間に配設され、ピストン４３およびステム４２を上方付勢状態で下方移動可能に支持している。
【００２７】
吐出器２はまた、シリンダ４１の内部に配設され、パイプ４６を通したシリンダ４１内への内容物の流入を許容し、かつパイプ４６を通したシリンダ４１内からの内容物の流出を規制する弁体４７と、ステム４２の上端部に装着され、内容物を吐出するノズル孔５５Ａが形成された押下ヘッド５０と、を備えている。ノズル孔５５Ａは、径方向のうちの一方向に向けて開口している。以下、この一方向を前方といい、その逆方向を後方という。
【００２８】
弁体４７は、ピストン４３の下降移動時に、弁座部４１Ｂの上面に着座して弁座部４１Ｂの内側を閉塞した状態に維持し、ピストン４３の上昇移動時に、弁座部４１Ｂから上方に離反して弁座部４１Ｂの内側を開放する逆止弁として機能する。これにより、シリンダ４１内をピストン４３が下降移動した際に、シリンダ４１内の内容物が、シリンダ４１の下端開口部を通して内筒部材１１内に戻ることが規制され、シリンダ４１内をピストン４３が上昇移動した際に、内筒部材１１内の内容物は、シリンダ４１の下端開口部を通してシリンダ４１内に流入する。
【００２９】
押下ヘッド５０は、内部がステム４２内に連通した有頂筒状のヘッド本体５１と、ステム４２の上端部に連結された有頂筒状の装着筒５２と、を備えている。
ヘッド本体５１の周壁には、前方に向けて開口する開口部５１Ａが形成されている。ヘッド本体５１の開口部５１Ａには、前端部にノズル孔５５Ａが形成された筒状のノズル５５が装着されている。ノズル５５の前端部は、ヘッド本体５１の開口部５１Ａから前方に向けて突出している。
【００３０】
ヘッド本体５１の内側には、前方付勢状態で、後方移動可能に配設された棒状の弁部材５３が設けられている。弁部材５３は、ノズル５５の内側に配設されている。弁部材５３の前部はノズル孔５５Ａを閉塞している。
弁部材５３の前端部は、第２付勢部材５４によりノズル５５の内面におけるノズル孔５５Ａの開口周縁部に密接されている。
【００３１】
ヘッド本体５１の内側には、図１に示されるような側面視において、上部が軸方向に真直ぐ延びるとともに、下部が上部の下端から前方に向けて延びるＬ字状を呈する梃子部材５６が配設されている。梃子部材５６の上部が、弁部材５３の後端部に連結されている。梃子部材５６の下端部は、装着筒５２の天壁部５２Ａの上面に当接している。
梃子部材５６は、ピン部材５７により揺動可能に支持されている。ヘッド本体５１の押下時に、梃子部材５６は、その下端部が天壁部５２Ａの上面を摺動しながら、ピン部材５７周りに揺動することで、弁部材５３を後退移動させる。
【００３２】
オーバーキャップ４は、装着キャップ１２を径方向の外側から囲むキャップ周壁６１と、キャップ周壁６１の上端開口部を閉塞し、押下ヘッド５０を上方から覆うキャップ頂壁６２と、を有する有頂筒状に形成されている。オーバーキャップ４は、中心軸線Ｏと同軸に配置されている。
キャップ周壁６１は二重筒状に形成されている。キャップ周壁６１のうち径方向の内側に位置する内周壁６１Ａの下端開口縁は、装着キャップ１２の係合フランジ部１２Ｇにおける上面と当接している。内周壁６１Ａの下端部が、装着キャップ１２の係止突部１２Ｆにアンダーカット嵌合されることで、オーバーキャップ４が二重容器１に装着されている。
【００３３】
キャップ周壁６１のうち径方向の外側に位置する外周壁６１Ｂの下端開口縁は、装着筒部１２Ａの係合フランジ部１２Ｇの上面と軸方向に隙間をあけて対向している。外周壁６１Ｂの外周面、および外容器１０Ｂの外周面それぞれにおける径方向の位置が互いに同等となっている。
なお、吐出器２としては、このような態様に限られず、他の構成を備えた公知のポンプ機構を採用することができる。
【００３４】
そして本実施形態では、図１および図２に示すように、係合筒部１２Ｈの外周面に、径方向の外側に向けて突出する係合突部２０が、周方向に間隔をあけて複数形成されている。係合突部２０は、内容器１０Ａの外周面のうち、中心軸線Ｏを径方向に挟む位置に各別に配置されている。
図３および図４に示すように、係合突部２０は周方向に延びる条状をなしている。係合突部２０は周方向の一方側に向かうに従い漸次、下方に向けて延びている、係合突部２０における周方向の両端部は、周方向の外側に向けて突の曲面状に形成されている。
係合突部２０の上面には、径方向の外側に向かうに従い漸次、下方に向けて延びる係合面２１が形成されている。
【００３５】
また本実施形態では、図１および図２に示すように、外容器１０Ｂの内周面に、径方向の外側に向けて窪み、かつ係合突部２０が各別に係合する係合溝部３０が、周方向に間隔をあけて複数形成されている。図示の例では、係合溝部３０は、外容器１０Ｂの内周面のうち、中心軸線Ｏを径方向に挟む位置に各別に配置されている。
図３および図４に示すように、係合溝部３０は、外容器１０Ｂの上端開口縁から下方に向けて延びている。係合溝部３０は径方向の内側から見た平面視でＬ字状を呈している。
【００３６】
また本実施形態では、外容器１０Ｂの係合溝部３０は、上方に向けて開口する導入溝３１Ａ、３１Ｂと、導入溝３１Ａ、３１Ｂから周方向の一方側に向けて延びる装着溝３２Ａ、３２Ｂを有している。
導入溝３１Ａ、３１Ｂは、外容器１０Ｂの上端開口縁から下方に向けて延びている。導入溝３１Ａ、３１Ｂは、前記平面視で２辺が軸方向に延びるとともに、残り２辺が周方向に延びる矩形状を呈している。
【００３７】
外容器１０Ｂの上端開口縁における導入溝３１Ａ、３１Ｂの開口周縁部は、上面視で２辺が径方向に延びるとともに、残り２辺が周方向に延びる矩形状を呈している。
導入溝３１Ａ、３１Ｂは、内容器１０Ａおよび外容器１０Ｂの、軸方向に互いに接近する相対移動に伴って、係合突部２０が軸方向に進入可能とされている。
【００３８】
装着溝３２Ａ、３２Ｂは、導入溝３１Ａ、３１Ｂの下端部から、周方向の一方側に向けて延びている。装着溝３２Ａ、３２Ｂは、前記平面視で２辺が軸方向に延びるとともに、残り２辺が周方向に延びる矩形状を呈している。
係合溝部３０の内面のうち、上方を向く下面には、上方に向けて突出する乗越え突起３３Ａ、３３Ｂが形成されている。乗越え突起３３Ａ、３３Ｂは、周方向に延びている。
乗越え突起３３Ａ、３３Ｂは、係合溝部３０の下面のうち、導入溝３１Ａ、３１Ｂにおける周方向の一方側の端部の位置する部分から、装着溝３２Ａ、３２Ｂの位置する部分にかけて一体に形成されている。なお、このような態様に限られず、乗越え突起３３Ａ、３３Ｂは、係合溝部３０の下面のうち、装着溝３２Ａ、３２Ｂにおける周方向の中間部が位置する部分に形成されてもよいし、導入溝３１Ａ，３１Ｂにおける周方向の中間部が位置する部分に形成されてもよい。
【００３９】
乗越え突起３３Ａ、３３Ｂは、前記平面視で上底が上方を向く台形状を呈している。乗越え突起３３Ａ、３３Ｂの上底をなす摺動面Ｓ１は、周方向の一方側に向かうに従い漸次、下方に向けて延びている。係合突部２０が乗越え突起３３Ａ、３３Ｂを乗越える際には、摺動面Ｓ１上を係合突部２０の下面が摺動する。摺動面Ｓ１、および係合突部２０の下面は周方向に沿ってほぼ平行に延びている。
【００４０】
乗越え突起３３Ａ、３３Ｂの外表面のうち、周方向の他方側に位置し、台形状の脚をなす第１傾斜面Ｓ２は、周方向の一方側に位置し、台形状の脚をなす第２傾斜面Ｓ３よりも、前記平面視において、摺動面Ｓ１に対して乗越え突起３３Ａ、３３Ｂの内側でなす傾斜角度が大きくなっている。なお、このような態様に限られず、乗越え突起３３Ａ、３３Ｂの形状は任意に変更することができる。
装着溝３２Ａ、３２Ｂの下面のうち、乗越え突起３３Ａ、３３Ｂよりも周方向の一方側に位置する部分は、周方向の一方側に向かうに従い漸次、下方に向けて延びている。
【００４１】
装着溝３２Ａ、３２Ｂの下面における周方向の一方側の端部には、装着溝３２Ａ、３２Ｂに係合された係合突部２０の一方側の端部が突き当たる終端面Ｓ４が形成されている。
装着溝３２Ａ、３２Ｂの上面のうち、周方向の一方側に位置する部分は、他方側に位置する部分よりも下方に位置している。装着溝３２Ａ、３２Ｂの上面のうち、周方向の一方側の端部には、他方側の端部よりも下方に位置する係止面Ｓ５が形成されている。
【００４２】
図１に示すように、係止面Ｓ５は、径方向の外側から内側に向かうに従い漸次、上方に向けて延びている。図３および図４に示すように、係止面Ｓ５は周方向の一方側に向かうに従い漸次、下方に向けて延びている。
装着溝３２Ａ、３２Ｂの上面のうち、周方向における他方側の端部と、係止面Ｓ５と、の接続部分には、周方向の一方側に向かうに従い漸次、下方に向けて延びる接続面Ｓ６が形成されている。係止面Ｓ５の中心軸線Ｏに直交する水平面に対する下方に向けた傾斜角度は、接続面Ｓ６の水平面に対する下方に向けた傾斜角度よりも小さくなっている。
【００４３】
また本実施形態では、複数の係合突部２０は、周方向の長さが互いに異なる長係合突部２０Ａおよび短係合突部２０Ｂを有している。長係合突部２０Ａおよび短係合突部２０Ｂはそれぞれ１つずつ設けられ、図１に示すように、内容器１０Ａにおける係合筒部１２Ｈの外周面のうち、中心軸線Ｏを径方向に挟む位置に各別に配置されている。
【００４４】
また、図３および図４に示すように、複数の係合溝部３０は、長係合突部２０Ａが係合する長係合溝部３０Ａと、短係合突部２０Ｂが係合し、かつ長係合溝部３０Ａの導入溝３１Ａよりも周方向に短い導入溝３１Ｂを有する短係合溝部３０Ｂと、を有している。長係合溝部３０Ａおよび短係合突部２０Ｂはそれぞれ1つずつ設けられ、図１に示すように、外容器１０Ｂの内周面のうち、中心軸線Ｏを挟む位置に各別に配置されている。
図３および図４に示すように、長係合溝部３０Ａの周方向の長さは、短係合溝部３０Ｂの周方向の長さよりも長くなっている。なお、このような態様に限られず、長係合溝部３０Ａの周方向の長さは、短係合溝部３０Ｂの周方向の長さ以下であってもよい。
【００４５】
また本実施形態では、短係合溝部３０Ｂの導入溝３１Ｂの周方向の長さは、長係合突部２０Ａの周方向の長さよりも短くなっている。短係合溝部３０Ｂの導入溝３１Ｂの周方向の長さは、短係合突部２０Ｂの周方向の長さよりも僅かに長くなっている。また、長係合溝部３０Ａの導入溝３１Ａの周方向の長さは、長係合突部２０Ａの周方向の長さよりも僅かに長くなっている。
【００４６】
また本実施形態では、長係合溝部３０Ａに形成された乗越え突起３３Ａの周方向の長さは、短係合溝部３０Ｂに形成された乗越え突起３３Ｂの周方向の長さよりも短くなっている。長係合突部２０Ａの下面、および長係合溝部３０Ａの乗越え突起３３Ａにおける摺動面Ｓ１それぞれの周方向の長さの和と、短係合突部２０Ｂの下面、および短係合溝部３０Ｂの乗越え突起３３Ｂにおける摺動面Ｓ１それぞれの周方向の長さの和と、が互いに同等となっている。
【００４７】
また、長係合突部２０Ａおよび短係合突部２０Ｂそれぞれにおける周方向の一方側の端部は、導入溝３１Ａ、３１Ｂに進入した係合突部２０が装着溝３２Ａ、３２Ｂに係合する過程において、長係合溝部３０Ａおよび短係合溝部３０Ｂの各乗越え突起３３Ａ、３３Ｂに同時に当接する。図示の例では、長係合溝部３０Ａの乗越え突起３３Ａにおける周方向の他方側の端部から、周方向の一方側に向けて、短係合溝部３０Ｂの乗越え突起３３Ｂにおける周方向の他方側の端部に至るまでの上面視における中心軸線Ｏ回りの中心角が、長係合突部２０Ａにおける周方向の一方側の端部から、周方向の一方側に向けて短係合突部２０Ｂにおける周方向の一方側の端部に至るまでの上面視における中心軸線Ｏ回りの中心角と同等となっている。
【００４８】
また本実施形態では、外容器１０Ｂの上端開口縁における短係合溝部３０Ｂの導入溝３１Ｂの開口周縁部において、周方向の一方側の端部に位置する部分には、短係合溝部３０Ｂの導入溝３１Ｂから周方向の一方側に離れるに従って、上方に向けて延びる傾斜部３４が形成されている。傾斜部３４は、外容器１０Ｂの上端開口縁のうち、導入溝３１Ａ、３１Ｂおよび傾斜部３４の非形成部分に段差なく連なっている。図示の例では、傾斜部３４は、外容器１０Ｂの上端開口縁における長係合溝部３０Ａの導入溝３１Ａの開口周縁部の、周方向の一方側の端部にも形成されている。
【００４９】
（吐出器２の作用）
次に、前述のように構成された吐出器２を利用して内容物を吐出する場合について説明する。なお、図１に示すように、第２付勢部材５４が弁部材５３を前方に向けて付勢していることによって、弁部材５３がノズル孔５５Ａを閉塞し、かつ梃子部材５６の下端部が、装着筒５２の天壁部５２Ａを下方に向けて押圧している。
この状態から、ヘッド本体５１の頂壁部を下方に向けて押圧すると、まず、第１付勢部材４５によるステム４２の上方付勢力の方が、第２付勢部材５４による梃子部材５６を介した装着筒５２の下方付勢力よりも大きいため、ステム４２は押し下げられず、ヘッド本体５１が装着筒５２に対して下方に向けて移動する。
【００５０】
この際、梃子部材５６は、第２付勢部材５４による付勢力に抗して、その下端部が装着筒５２の天壁部５２Ａ上を前方に向けて摺動しつつ、天壁部５２Ａにより押し上げられ、かつ上端部が後方へ移動させられるように、ピン部材５７回りに揺動する。これにより、弁部材５３が梃子部材５６の上端部とともに後方へ移動させられて、ノズル孔５５Ａが開口する。
【００５１】
そして、さらにヘッド本体５１の頂壁部を下方に押圧することにより、ヘッド本体５１が装着筒５２に軸方向に突き当たり、この押下力が、装着筒５２を介してステム４２に伝達される。これにより、ステム４２を下方に移動させ、内筒部材１１内の内容物を、ステム４２内から装着筒部１２Ａの内側を通してヘッド本体５１内に流入させることによって、ノズル孔５５Ａから液体を外部に噴出させる。
【００５２】
次に、ヘッド本体５１の頂壁部に対する押圧操作を解除すると、ステム４２の上方付勢力によりヘッド本体５１が装着筒５２とともに上昇し、かつ第２付勢部材５４の弾性復元力により弁部材５３が梃子部材５６の上端部とともに前方へ移動する。この過程において、まずステム４２が上昇端位置に戻り、その後でノズル孔５５Ａが閉塞され、かつ梃子部材５６の下端部が装着筒５２の天壁部５２Ａを下方に押圧してヘッド本体５１を装着筒５２に対して上方に押し上げる。
【００５３】
（二重容器１の作用）
次に、前述のように構成された二重容器１における内容器１０Ａを、外容器１０Ｂの内側に配設する場合について説明する。なお、内容器１０Ａにおける内筒部材１１の内側には、内容物が充填されるとともに、図１に示されるように、吐出器２が配設されている状態とする。
この状態から、内容器１０Ａの内筒部材１１を、外容器１０Ｂの内側に挿入するとともに、内容器１０Ａの装着キャップ１２を、外容器１０Ｂの上端開口縁上に配置する。この際、装着キャップ１２における係合筒部１２Ｈの係合突部２０が、外容器１０Ｂの上端開口縁に当接する。
【００５４】
次に、内容器１０Ａを外容器１０Ｂに対して軸方向に当接させた状態で、周方向の一方側に相対回転させることにより、装着キャップ１２の係合突部２０が、外容器１０Ｂの上端開口縁上を周方向の一方側に向けて摺動する。
そして、係合突部２０のうちの短係合突部２０Ｂが、外容器１０Ｂの係合溝部３０のうちの短係合溝部３０Ｂの導入溝３１Ｂと周方向の位置が一致した際に、短係合突部２０Ｂが導入溝３１Ｂ内に軸方向に進入する。またこの際、係合突部２０のうちの長係合突部２０Ａは、長係合溝部３０Ａの導入溝３１Ａと周方向の位置が一致しており、長係合突部２０Ａが長係合溝部３０Ａにおける導入溝３１Ａ内に軸方向に進入する。
【００５５】
そして、図３に示すように、各係合突部２０が、各導入溝３１Ａ、３１Ｂの下端部に位置した際に、長係合突部２０Ａおよび短係合突部２０Ｂは、長係合溝部３０Ａおよび短係合溝部３０Ｂに各別に形成された乗越え突起３３Ａ、３３Ｂにそれぞれ同時に当接する。
そして再度、内容器１０Ａを外容器１０Ｂに対して周方向の一方側に相対回転させることにより、短係合突部２０Ｂが、短係合溝部３０Ｂ内の乗越え突起３３Ｂの摺動面Ｓ１上に乗り上がりながら、装着溝３２Ｂ内を周方向の一方側に向けて進入する。これと同時に、長係合突部２０Ａが、長係合溝部３０Ａ内の乗越え突起３３Ａの摺動面Ｓ１上に乗り上がりながら、装着溝３２Ａ、３２Ｂ内を周方向の一方側に向けて進入する。
【００５６】
装着溝３２Ａ、３２Ｂ内を周方向の一方側に向けて進入する過程において、長係合突部２０Ａおよび短係合突部２０Ｂそれぞれにおける周方向の一方側の端部が、乗越え突起３３Ａ、３３Ｂにおける接続面Ｓ６と当接する。そして接続面Ｓ６の傾斜に沿って周方向の一方側に向かうに従って下方に向けて案内されながら、長係合突部２０Ａおよび短係合突部２０Ｂは、装着溝３２Ａ、３２Ｂ内に進入する。
【００５７】
そして、図４に示すように、長係合突部２０Ａおよび短係合突部２０Ｂが、各乗越え突起３３Ａ、３３Ｂを同時に乗越える。
この際、長係合突部２０Ａおよび短係合突部２０Ｂが双方共に、各乗越え突起３３Ａ、３３Ｂを乗越えたことが、音や感触等により同時に使用者に伝えられる。
その後、図５に示すように、長係合突部２０Ａおよび短係合突部２０Ｂそれぞれにおける周方向の一方側の端部が、装着溝３２Ａ、３２Ｂにおける各終端面Ｓ４に突き当たる。この状態において、各係合突部２０の係合面２１が、各装着溝３２Ａ、３２Ｂにおける各係止面Ｓ５に当接することで、長係合突部２０Ａおよび短係合突部２０Ｂがそれぞれ、装着溝３２Ａ、３２Ｂに係合される。これにより、長係合突部２０Ａおよび短係合突部２０Ｂの、長係合溝部３０Ａおよび短係合溝部３０Ｂへの係合が完了する。
【００５８】
ここで、各係合突部２０を各導入溝３１Ａ、３１Ｂ内に進入させる過程において、仮に長係合突部２０Ａが、短係合溝部３０Ｂの導入溝３１Ｂと周方向の位置が一致すると、長係合突部２０Ａの周方向の一方側の端部が、外容器１０Ｂの傾斜部３４に当接する。
このため、その後の内容器１０Ａの外容器１０Ｂに対する周方向の一方側への回転移動に伴って、長係合突部２０Ａが傾斜部３４に沿って上方に向けて案内されることとなり、長係合突部２０Ａが、短係合溝部３０Ｂの導入溝３１Ｂ内に進入することが規制される。
【００５９】
以上説明したように、本実施形態の二重容器１によれば、内容器１０Ａに、周方向の長さが互いに異なる長係合突部２０Ａおよび短係合突部２０Ｂがそれぞれ形成され、外容器１０Ｂに、導入溝３１Ｂの周方向の長さが互いに異なる長係合溝部３０Ａおよび短係合溝部３０Ｂがそれぞれ形成されている。そして、短係合突部２０Ｂが係合する短係合溝部３０Ｂにおける導入溝３１Ｂの周方向の長さが、長係合突部２０Ａの周方向の長さよりも短いので、長係合突部２０Ａが短係合溝部３０Ｂ内に進入するのを防ぐことができる。このため、長係合突部２０Ａおよび長係合溝部３０Ａそれぞれの周方向の位置を互いに一致させ、かつ短係合突部２０Ｂおよび短係合溝部３０Ｂそれぞれの周方向の位置を互いに一致させなければ、内容器１０Ａを外容器１０Ｂに装着することができないので、内容器１０Ａおよび外容器１０Ｂの周方向の相対位置を１つに特定することができる。
【００６０】
また、長係合溝部３０Ａに形成された乗越え突起３３Ａの周方向の長さが、短係合溝部３０Ｂに形成された乗越え突起３３Ｂの周方向の長さよりも短いので、長係合突部２０Ａが乗越え突起３３Ｂを摺動する距離を抑えつつ、短係合突部２０Ｂが乗越え突起３３Ｂを摺動する距離を確保することが可能になり、長係合突部２０Ａおよび短係合突部２０Ｂが、乗越え突起３３Ｂ上を摺動する距離を同等にすることができる。このため、内容器１０Ａの外容器１０Ｂに対する周方向の一方側への相対移動に伴って、長係合突部２０Ａおよび短係合突部２０Ｂをそれぞれ、長係合溝部３０Ａ内および短係合溝部３０Ｂ内の各乗越え突起３３Ａ、３３Ｂを同時に乗越えさせることができる。これにより、長係合突部２０Ａおよび短係合突部２０Ｂが双方共に、乗越え突起３３Ａ、３３Ｂを乗越えたことを、例えば、音や触感等により使用者に感じさせることが可能になり、短係合突部２０Ｂのみが乗越え突起３３Ｂを乗越え、長係合突部２０Ａが乗越え突起３３Ａを完全に乗越えていない状態で、使用者が内容器１０Ａおよび外容器１０Ｂを周方向に相対移動させる操作を終了することがなく、係合突部２０と係合溝部３０との係合が不十分となるのを防ぐことができる。このようにして、二重容器１の取扱性を向上することができる。
【００６１】
また、外容器１０Ｂの係合溝部３０が、導入溝３１Ａ、Ｂから周方向の一方側に向けて延びる装着溝３２Ａ、３２Ｂを有しているので、内容器１０Ａの外容器１０Ｂに対する周方向の一方側への相対移動に伴って、内容器１０Ａの係合突部２０を、外容器１０Ｂの装着溝３２Ａ、３２Ｂに係合させることにより、内容器１０Ａおよび外容器１０Ｂの、軸方向に互いに離反する相対移動を規制することができる。このため、係合突部２０および係合溝部３０により、内容器１０Ａおよび外容器１０Ｂの、周方向の相対変位のみならず、軸方向に互いに離反する相対移動も規制することが可能になる。これにより、例えば内容器１０Ａおよび外容器１０Ｂに、外容器１０Ｂの口部１１Ａに螺合される固定部材を一体に装着すること等により、内容器１０Ａおよび外容器１０Ｂの、軸方向に互いに離反する相対移動を規制するような構成と比較して、部品点数の削減を図ることができる。
【００６２】
また、導入溝３１Ａ，３１Ｂに進入した係合突部２０が装着溝３２Ａ、３２Ｂに係合する過程において、長係合突部２０Ａおよび短係合突部２０Ｂにおける周方向の一方側の端部が、長係合溝部３０Ａ内および短係合溝部３０Ｂ内の各乗越え突起３３Ａ、３３Ｂに、それぞれ同時に当接するので、その後の内容器１０Ａの外容器１０Ｂに対する周方向の一方側への相対移動に伴って、確実に長係合突部２０Ａおよび短係合突部２０Ｂをそれぞれ、各乗越え突起３３Ａ、３３Ｂを同時に乗越えさせることができる。
【００６３】
また、外容器１０Ｂの上端開口縁に前記傾斜部が形成されているので、係合突部２０と係合溝部３０とを係合させる際に、仮に長係合突部２０Ａおよび短係合溝部３０Ｂの導入溝３１Ｂそれぞれにおける周方向の位置が一致したとしても、内容器１０Ａを外容器１０Ｂに対して周方向の一方側へ向けて相対回転させたときに、長係合突部２０Ａにおける周方向の一方側の端部が、傾斜部上と摺動することにより、傾斜部に沿って長係合突部２０Ａを上方に向けて案内することができる。これにより、長係合突部２０Ａが短係合溝部３０Ｂの導入溝３１Ｂ内に進入するのを効果的に抑制することができる。
【００６４】
なお、本発明の技術範囲は、上記実施形態に限定されるものではなく、本発明の趣旨を逸脱しない範囲において、種々の変更を加えることが可能である。
【００６５】
例えば、上記実施形態においては、二重容器１に、吐出器２が取付けられた吐出容器３を例に挙げて説明したが、このような態様に限らえない。二重容器１は、例えば内容器に化粧用クリーム等の内容物を収容し、キャップを備えた広口のジャー容器等に適用することができる。
また、上記実施形態においては、外容器１０Ｂが有底筒状である構成を示したが、このような態様に限られない。外容器１０Ｂは軸方向の両端部が開口した筒体であってもよい。
また、上記実施形態においては、係合突部２０が、内容器１０Ａにおける装着キャップ１２に形成されている構成を示したが、このような態様に限られない。係合突部２０は、内容器１０Ａにおける内筒部材１１の外周面に形成されてもよい。
【００６６】
また、上記実施形態においては、各導入溝３１Ａ、３１Ｂに進入した長係合突部２０Ａおよび短係合突部２０Ｂが、係合溝部３０に係合する過程において、各乗越え突起３３Ａ、３３Ｂにそれぞれ同時に当接する構成を示したが、このような態様に限られない。長係合突部２０Ａおよび短係合突部２０Ｂは、各乗越え突起３３Ａ、３３Ｂにそれぞれ同時に当接しなくてもよい。
【００６７】
また、上記実施形態においては、外容器１０Ｂの上端開口縁における短係合溝部３０Ｂの導入溝３１Ｂの開口周縁部には、傾斜部３４が形成されている構成を示したが、このような態様に限られない。外容器１０Ｂの上端開口縁における前記開口周縁部に、傾斜部３４が形成されなくてもよい。
【００６８】
また、上記実施形態においては、長係合突部２０Ａおよび短係合突部２０Ｂが、内容器１０Ａの装着キャップ１２における係合筒部１２Ｈの外周面において、中心軸線Ｏを径方向に挟む位置に各別に配置されている構成を示したが、このような態様に限られない。長係合突部２０Ａおよび短係合突部２０Ｂは、それぞれ複数ずつ形成されてもよい。このような場合には、外容器１０Ｂの内周面のうち、長係合突部２０Ａおよび短係合突部２０Ｂそれぞれと周方向の位置が一致する部分に、長係合溝部３０Ａおよび短係合溝部３０Ｂが各別に形成されてもよい。
【００６９】
なお、上記実施形態においては、内容器１０Ａを外容器１０Ｂに対して軸方向に当接させた状態で、周方向の一方側に相対回転させることにより、短係合突部２０Ｂと、短係合溝部３０Ｂの導入溝３１Ｂと、の周方向の位置を一致させる手順について説明したが、このような態様に限られない。例えば、内容器１０Ａの装着キャップ１２を、外容器１０Ｂの上端開口縁上に配置する際に、直接、短係合突部２０Ｂを短係合溝部３０Ｂの導入溝３１Ｂ内に進入させてもよい。
【００７０】
また、上記実施形態においては、各導入溝３１Ａ、３１Ｂに進入した各係合突部２０が、各導入溝３１Ａ、３１Ｂの下端部に位置した際に、長係合突部２０Ａおよび短係合突部２０Ｂが、各乗越え突起３３Ａ、３３Ｂにそれぞれ同時に当接する手順について説明したが、このような態様に限られない。例えば、各乗越え突起３３Ａ、３３Ｂが、装着溝３２Ａ、３２Ｂの下面のうち、周方向の中間部が位置する部分に形成されること等により、各導入溝３１Ａ、３１Ｂに進入した長係合突部２０Ａおよび短係合突部２０Ｂが、各導入溝３１Ａ、３１Ｂの下端部から周方向の一方側に向けて装着溝３２Ａ、３２Ｂ内に進入する過程において、各乗越え突起３３Ａ、３３Ｂにそれぞれ同時に当接してもよい。
【符号の説明】
【００７１】
１  二重容器
１０Ａ  内容器
１０Ｂ  外容器
２０  係合突部
２０Ａ  長係合突部
２０Ｂ  短係合突部
３０  係合溝部
３０Ａ  長係合溝部
３０Ｂ  短係合溝部
３１Ａ、３１Ｂ  導入溝
３２Ａ、３２Ｂ  装着溝
３３Ａ、３３Ｂ  乗越え突起
３４  傾斜部
【図１】
2018203313.tif 000003
【図２】
2018203313.tif 000004
【図３】
2018203313.tif 000005
【図４】
2018203313.tif 000006
【図５】
2018203313.tif 000007